(57)【要約】【課題】撮影条件によらず正確に光源情報を取得できる。【解決手段】カメラボディー４と、撮影レンズを含み、カメラボディー４に装着される、交換可能な交換レンズ６と、カメラボディー４に備えられ、視野範囲が異なる第一光源検知部３と第二光源検知部５と具備することを特徴とするカメラ。【選択図】図１
2010276778.tif 000002
【特許請求の範囲】
【請求項１】
カメラボディーと、
撮影レンズを含み、前記カメラボディーに装着される、交換可能なレンズ鏡筒と、
前記カメラボディーに備えられ、視野範囲が異なる複数の光源検知センサと、
を具備することを特徴とするカメラ。
【請求項２】
前記複数の光源検知センサを、前記カメラボディーの前面の前記レンズ鏡筒を挟む対角位置に一対以上配置する
ことを特徴とする請求項１に記載のカメラ。
【請求項３】
前記複数の光源検知センサの１個以上を、前記カメラボディーの後部に配置する
ことを特徴とする請求項１に記載のカメラ。
【請求項４】
前記カメラボディー内に光源情報重み付け判定部をさらに有し、
前記複数の光源検知センサは各々、可視光成分の感度を持った可視受光素子と赤外光成分の感度を持った赤外受光素子とを有し、
前記複数の光源検知センサは各々、前記可視受光素子および前記赤外受光素子の出力により光源を判別し、
前記光源情報重み付け判定部は、前記可視受光素子および前記赤外受光素子の出力に応じて、前記複数の光線検知センサが出力する光源情報を重み付けして撮影した画像へ反映させる
ことを特徴とする請求項１に記載のカメラ。
【請求項５】
前記カメラボディー内に光源情報重み付け判定部をさらに有し、
前記複数の光源検知センサは各々、可視光成分の感度を持った可視受光素子と赤外光成分の感度を持った赤外受光素子とを有し、
前記複数の光源検知センサは各々、前記可視受光素子および前記赤外受光素子の出力により光源を判別し、
前記光源情報重み付け判定部は、前記複数の光源検知センサの出力の比を算出し、算出した比に応じて前記複数の光線検知センサが出力する光源情報を重み付けして撮影した画像へ反映させる
ことを特徴とする請求項１に記載のカメラ。
【発明の詳細な説明】
【技術分野】
【０００１】
本発明は、光源種を判別する光源検知センサを搭載したカメラに関する。
【背景技術】
【０００２】
室内において写真撮影を行う場合、ランプ等の人工光源を用いて被写体を照明することがある。この場合には、撮影レンズ等が有する光学特性、すなわち、色収差等の影響によって被写体像の合焦点の位置にずれが生じてしまうことがある。このずれを無くすカメラとしては、被写体を照明する光源を検出して光源に応じた信号を出力する光源検出手段と、被写体を照明する光源に応じて焦点ズレを補正するための補正値を記憶している補正値記憶手段と、光源検出手段が出力する信号と補正値記憶手段が記憶する補正値とに基づいて、焦点の検出を行う焦点検出手段とを備えたカメラが知られている（例えば、特許文献１参照）。
【０００３】
図１４は、特許文献１に開示されているカメラの内部構成を示した概略図である。図示する例では、カメラは、カメラボディー１０４と交換レンズ１０６とを備える。カメラボディー１０４は、光源検知部１０３と、ＡＦ制御部１１０とを備える。交換レンズ１０６は、メモリ１０７を備える。メモリ１０７は、光源の種類に応じて焦点ずれを補正するための補正値である補正データとして、光源Ａ補正データと、光源Ｂ補正データと、光源Ｃ補正データとを記憶している。
【０００４】
被写体を照明する光源がカメラボディー１０４内の光源検知部１０３で検知されると、光源検知部１０３から光源に応じた信号が出力される。また、ＡＦ制御部１１０は、光源検知部１０３が検知した光源に応じた補正データをメモリ１０７から読み出す。続いて、ＡＦ制御部１１０は、光源検知部１０３が出力した信号と、メモリ１０７から読み出した補正データとに基づいて、焦点検出を行う。
【０００５】
また、室内において写真撮影を行う場合、ランプ等の人工光源を用いて被写体を照明することがある。この場合には、被写体像の色バランスがずれる問題がある。例えば、ランプで照明された被写体を撮影する場合、そのまま撮影したのでは、赤みを帯びた画像になる。そのため、カメラはいわゆるオートホワイトバランス（ＡＷＢ）補正を使って赤みを取り除く操作を行って色バランスのずれを補正している。しかし、同じランプでもランプの種類によって赤みの度合いは大きく変化し、照明の種類が異なると更に大きな差となり色バランスのずれを生じる。そこで、光源検知部１０３により光源種を検出して、検出した光源種に応じて色バランスのずれを補正する技術が知られている（例えば、特許文献２参照）。
【０００６】
図１５は、従来知られている光源検知部１０３を備えたカメラの外観前面を示した外観図である。図示する例では、カメラは、カメラボディー１０４の上部左端に電源のＯＮ，ＯＦＦを制御する電源スイッチボタン１０１とシャッターボタン１０２とを備え、撮影時の光源種を判別する光源検知部１０３を交換レンズ１０６の左斜め上に備えている。
【先行技術文献】
【特許文献】
【０００７】
【特許文献１】特開２００５−２０８３００号公報
【特許文献２】特開２００２−３７４５３９号公報
【発明の概要】
【発明が解決しようとする課題】
【０００８】
しかしながら、従来知られているカメラでは、光源検知部１０３はカメラボディー１０４の前面の上部に配置されているため、撮影条件によって正しく光源情報を取得できない場合がある。例えば、窓から離れた位置から窓の外を撮影する場合、光源検知センサ１０３へは蛍光灯の照射光が入射されるため、蛍光灯に応じたホワイトバランスとなり、窓の外を撮影した画像は青っぽく撮影されるという問題がある。また、光源検知センサ１０３には光があたらずに、被写体は照り返しの光を受けている場合、カメラは光源情報を正確に取得できない。このように、撮影条件によっては正確に光源情報を取得することができないという問題がある。
【０００９】
本発明は、上記事情に鑑みてなされたものであり、撮影条件によらず正確に光源情報を取得できるカメラを提供することを目的とする。
【課題を解決するための手段】
【００１０】
本発明は、カメラボディーと、撮影レンズを含み、前記カメラボディーに装着される、交換可能なレンズ鏡筒と、前記カメラボディーに備えられ、視野範囲が異なる複数の光源検知センサと、を具備することを特徴とするカメラである。
【００１１】
また、本発明は、前記複数の光源検知センサを、前記カメラボディーの前面の前記レンズ鏡筒を挟む対角位置に一対以上配置することを特徴とするカメラである。
【００１２】
また、本発明は、前記複数の光源検知センサの１個以上を、前記カメラボディーの後部に配置することを特徴とするカメラである。
【００１３】
また、本発明は、前記カメラボディー内に光源情報重み付け判定部をさらに有し、前記複数の光源検知センサは各々、可視光成分の感度を持った可視受光素子と赤外光成分の感度を持った赤外受光素子とを有し、前記複数の光源検知センサは各々、前記可視受光素子および前記赤外受光素子の出力により光源を判別し、前記光源情報重み付け判定部は、前記可視受光素子および前記赤外受光素子の出力に応じて、前記複数の光線検知センサが出力する光源情報を重み付けして撮影した画像へ反映させることを特徴とするカメラである。
【００１４】
また、本発明は、前記カメラボディー内に光源情報重み付け判定部をさらに有し、前記複数の光源検知センサは各々、可視光成分の感度を持った可視受光素子と赤外光成分の感度を持った赤外受光素子とを有し、前記複数の光源検知センサは各々、前記可視受光素子および前記赤外受光素子の出力により光源を判別し、前記光源情報重み付け判定部は、前記複数の光源検知センサの出力の比を算出し、算出した比に応じて前記複数の光線検知センサが出力する光源情報を重み付けして撮影した画像へ反映させることを特徴とするカメラである。
【発明の効果】
【００１５】
本発明によれば、撮影条件によらず正確に光源情報を取得できる。
【図面の簡単な説明】
【００１６】
【図１】本発明の第１の実施の形態におけるカメラの外観前面を示した外観図である。
【図２】本発明の第１の実施の形態におけるカメラが備える第一光源検知部と第二光源検知部との視野範囲について示したイメージ図である。
【図３】本発明の第１の実施の形態における第一光源検知部と第二光源検知部に好適な光源検知部の例を示した図である。
【図４】本発明の第１の実施の形態における可視光センサと赤外光センサとの分光感度の例を示したグラフである。
【図５】本発明の第１の実施の形態において、光源種が蛍光灯の場合の可視光と赤外光の光電流の比を示したグラフである。
【図６】本発明の第１の実施の形態において、光源種が太陽光の場合の可視光と赤外光の光電流の比を示したグラフである。
【図７】本発明の第１の実施の形態において、光源種がランプの場合の可視光と赤外光の光電流の比を示したグラフである。
【図８】本発明の第１の実施の形態における可視光の光電流を読み出す回路を示した回路図である。
【図９】本発明の第１の実施の形態における赤外光の光電流を読み出す回路を示した回路図である。
【図１０】本発明の第１の実施の形態におけるカメラの内部構成を示した概略図である。
【図１１】本発明の第２の実施の形態におけるカメラの外観前面を示した外観図である。
【図１２】本発明の第２の実施の形態におけるカメラの外観後部を示した外観図である。
【図１３】本発明の第２の実施の形態におけるカメラが備える第一光源検知部と第二光源検知部との視野範囲について示したイメージ図である。
【図１４】従来例におけるカメラの内部構成を示した概略図である。
【図１５】従来例における光源検知部を備えたカメラの外観前面を示した外観図である。
【発明を実施するための形態】
【００１７】
以下、本発明の実施の形態について図を参照しながら説明する。
（第１の実施の形態）
図１は、第１の実施の形態におけるカメラの外観前面を示した外観図である。図示する例では、カメラは、カメラボディー４と、交換レンズ６（レンズ鏡筒）とを備えている。交換レンズ６は、カメラボディー４の前面に着脱可能な状態で取り付けられている。また、カメラは、カメラボディー４の上部左端にシャッターボタン１と電源のＯＮ，ＯＦＦを制御する電源スイッチボタン２とを備える。また、カメラは、撮影時に被写体に照射される光源の種類（光源種）を判別する第一光源検知部３（光源検知センサ）と、第二光源検知部５（光源検知センサ）とを備えている。第一光源検知部３は交換レンズ６の左斜め上に配置されている。また、第二光源検知部５は交換レンズ６の右斜め下に配置されている。
【００１８】
図２は、本実施の形態におけるカメラが備える第一光源検知部３と第二光源検知部５との視野範囲について示したイメージ図である。図示するように、第一光源検知部３と第二光源検知部５との視野範囲は異なる。これにより、本実施の形態におけるカメラは、異なる視野範囲の光源情報を検知することができ、光源情報をより正確に取得することができる。
【００１９】
具体的には、交換レンズ６の左斜め上に配置された第一光源検知部３は、カメラ上方から照明される光源の情報を検知し、交換レンズ６の右斜め下に配置された第二光源検知部５は、カメラ下方から被写体を照明し、かつ、交換レンズ６で遮られるために第一光源検知部３には入射しない光源の情報を検知する。
【００２０】
例えば、被写体が照り返しの光に照明されているような撮影状況では、第一光源検知部３には光源の光が入射せず、第二光源検知部５にのみ光源の光が入射する。このような場合、第一光源検知部３は、照り返しの光の光源情報を検知することはできないが、第二光源検知部５が照り返しの光の光源情報を正しく検知することができるため、カメラとしては、照り返しの光の光源情報を取得することができる。
【００２１】
図３は、第一光源検知部３と第二光源検知部５に好適な光源検知部の例を示した図である。光源検知部は、カメラボディー４のカメラ外装２９より内側で、拡散板３０の後方に配置されている。光源検知部は、赤外光センサ３２（赤外受光素子）と可視光センサ３４（可視受光素子）とをクリアモールド樹脂で被覆したクリアモールドパッケージ３３と、赤外光を遮る赤外光カットフィルタ３５（ＩＲカットフィルタ）と、可視光を遮る可視光カットフィルタ３６とを備える。
【００２２】
赤外光カットフィルタ３５は、可視光センサ３４のみを覆うようにクリアモールドパッケージの上面に配置されている。可視光カットフィルタ３６は、赤外光センサ３２のみを覆うようにクリアモールドパッケージの上面に配置されている。このように構成することで、可視光センサ３４は、可視光を検出することができる。また、赤外光センサ３２は、赤外光を検出することができる。
【００２３】
図４は、可視光センサ３４と赤外光センサ３２との相対分光感度の例を示したグラフである。図示する例では、曲線４１は、可視光センサ３４が検出する可視光の相対感度を示した曲線である。曲線４２は、赤外光センサ３２が検出する赤外光の相対感度を示した曲線である。このように、光源検知部は、可視光センサ３４と赤外光センサ３２とにより、被写体に照射される光を可視光成分と赤外光成分とに分離して検出することができる。そして、光源検知部は、分離して検出した可視光と赤外光の光電流の比で光源種を判別する。
【００２４】
図５〜図７を参照して、可視光と赤外光の光電流の比と、光源種との対応について説明する。図５は、光源種が蛍光灯の場合の可視光と赤外光の光電流の比を示したグラフである。光源種が蛍光灯の場合、図示するように、可視光と赤外光の光電流の比は１００：１である。図６は、光源種が太陽光の場合の可視光と赤外光の光電流の比を示したグラフである。光源種が太陽光の場合、図示するように、可視光と赤外光の光電流の比は１００：２１である。図７は、光源種がランプの場合の可視光と赤外光の光電流の比を示したグラフである。光源種がランプの場合、図示するように、可視光と赤外光の光電流の比は１００：１６０である。
【００２５】
このように、光源種によって可視光と赤外光の光電流の比が定まっているため、光源検知部（第一光源検知部３と第二光源検知部５）は、検出した可視光と赤外光の光電流の比で、被写体に照射されている光源種を判別することができる。
【００２６】
図８は、可視光センサ３４を構成する回路の例を示した回路図である。図示する回路は、受光素子３８−１を演算増幅器４０−１の入力端子間に接続し、演算増幅器４０−１の反転入力端子と出力端子の間にダイオード３９−１を接続し、演算増幅器４０−１の非反転入力端子を基準電圧源４２に接続した回路である。これにより、可視光センサ３４は、受光素子３８−１が可視光を受けて発生した光電流を、ダイオード３９−１で対数圧縮して電圧に変換後、出力端子４１−１より出力する。
【００２７】
図９は、赤外光センサ３２を構成する回路の例を示した回路図である。図示する回路は、受光素子３８−２を演算増幅器４０−２の入力端子間に接続し、演算増幅器４０−２の反転入力端子と出力端子の間にダイオード３９−２を接続し、演算増幅器４０−２の非反転入力端子を基準電圧源４２に接続した回路である。これにより、赤外光センサ３２は、受光素子３８−２が赤外光を受けて発生した光電流を、ダイオード３９−２で対数圧縮して電圧に変換後、出力端子４１−２より出力する。
【００２８】
図１０は、本実施の形態におけるカメラの内部構成を示した概略図である。カメラは、カメラボディー４と交換レンズ６とを備える。カメラボディー４は、第一光源検知部３と、第二光源検知部５と、光源情報重み付け判定部９と、ＡＦ制御部１０とを備える。交換レンズ６はメモリ７を備える。メモリ７は、光源Ａ補正データと、光源Ｂ補正データと、光源Ｃ補正データとを記憶する。
【００２９】
光源Ａ補正データは、光源がＡの場合に用いる補正データである。また、光源Ｂ補正データは、光源がＢの場合に用いる補正データである。また、光源Ｃ補正データは、光源がＣの場合に用いる補正データである。
【００３０】
第一光源検知部３と第二光源検知部５とは、光源に応じた信号として、被写体に照射される光の可視光と赤外光の光電流を検出し、出力する。また、第一光源検知部３と第二光源検知部５とは、検出した可視光と赤外光の光電流の比で、被写体に照射されている光源の種類を判別し、判別した光源の種類を示す情報（例えば、光源は蛍光灯であることを示す情報）を出力する。
【００３１】
光源情報重み付け判定部９は、第一光源検知部３と第二光源検知部５とが出力する光源の種類を示す情報に基づいて、被写体に照射されている光源の種類を判定する。光源情報重み付け判定部９が光源の種類を判定する方法については後述する。また、光源情報重み付け判定部９は、第一光源検知部３が出力する可視光と赤外光の光電流の出力レベルと、第二光源検知部５が出力する可視光と赤外光の光電流の出力レベルとの比に応じて、これらの出力の重み付けを行う。光源情報重み付け判定部９が重み付けを行う方法については後述する。
【００３２】
ＡＦ制御部１０は、カメラのピント合わせの制御（オートフォーカス）を行う。なお、本実施形態では、ＡＦ制御部１０は、メモリ７が記憶する補正データと、重み付け判定部９が判定した被写体に照射される光源の種類を示す情報と、重み付け判定部９が重み付けを行った後の第一光源検知部３と第二光源検知部５との出力を用いて、オートフォーカスの補正を行う。
【００３３】
次に、本実施の形態におけるオートフォーカスの処理手順について説明する。初めに、カメラボディー１１内の第一光源検知部３と第二光源検知部５とは、被写体を照明する光源を検知すると、光源に応じた信号である、第一光源検知部３と第二光源検知部５の可視光センサ３４の出力と赤外光センサ３２の出力とを光源情報重み付け判定部９に出力する。
【００３４】
また、第一光源検知部３と第二光源検知部５とは、被写体を照明する光源の種類を判別し、判別した光源の種類を示す情報を光源情報重み付け判定部９に出力する。なお、第一光源検知部３と第二光源検知部５とが被写体を照明する光源の種類を判別する方法は先述したとおりである。
【００３５】
光源情報重み付け判定部９は、第一光源検知部３が出力する光源の種類を示す情報と光源に応じた信号と、第二光源検知部５が出力する光源の種類を示す情報と光源に応じた信号とに基づいて、被写体を照明する光源の種類を判定する。その後、光源情報重み付け判定部９は、判定した光源の種類を示す情報をＡＦ制御部１０に出力する。
【００３６】
本実施形態では、カメラは光源検知部を２つ備えているため、光源情報重み付け判定部９には光源の種類を示す情報として２つの情報が入力される。そこで、光源情報重み付け判定部９は、光源の種類を示す情報としてどちらの情報を用いるかを判定する。判定方法としては、例えば、光源情報重み付け判定部９は、第一光源検知部３から入力された光源に応じた信号の出力と、第二光源検知部５から入力された光源に応じた信号の出力とを比較し、光源に応じた信号の出力が大きい光源検知部から入力された光源の種類を示す情報を、光源の種類を示す情報として用いると判定する。
【００３７】
また、光源情報重み付け判定部９は、光源に応じた信号である、第一光源検知部３と第二光源検知部５の可視光センサ３４の出力および赤外光センサ３２の出力に応じて、それぞれの出力に重み付けを行う。その後、光源情報重み付け判定部９は、重み付けを行った第一光源検知部３の可視光センサ３４の出力と第二光源検知部５の可視光センサ３４の出力とをＡＦ制御部１０に出力する。
【００３８】
以下、赤外光センサ３２と可視光センサ３４との出力レベルの比に応じて光源情報の重み付けを行う例について説明する。例えば、第一光源検知部３の赤外光センサ３２の出力レベルが、第二光源検知部５の赤外光センサ３２の出力レベルの２倍の出力レベルであるときは、光源情報重み付け判定部９は、第一光源検知部３の赤外光センサ３２の出力と第二光源検知部５の赤外光センサ３２の出力とに２：１の係数をかける重み付けを行う。
【００３９】
また、第一光源検知部３の可視光センサ３４の出力レベルが、第二光源検知部５の可視光センサ３４の出力レベルの２倍の出力レベルであるときは、光源情報重み付け判定部９は、第一光源検知部３の可視光センサ３４の出力と第二光源検知部５の可視光センサ３４の出力とに２：１の係数をかける重み付けを行う。
【００４０】
以下、オートフォーカスの処理手順の説明に戻る。ＡＦ制御部１０は、光源情報重み付け判定部９から入力された被写体を照明する光源の種類を示す情報で特定される光源の種類の補正データを、メモリ７から読み出す。そして、ＡＦ制御部１０は、メモリ７から読み出した補正データと、光源情報重み付け判定部９が重み付けを行った第一光源検知部３および第二光源検知部５が出力する光源に応じた信号とを用いて補正をしつつ、焦点検出を実行する。
【００４１】
上述したとおり、本発明の構成によれば、交換レンズ６の左斜め上に配置された第一光源検知部３は、カメラ上方から照明される光源の情報を検知する。また、交換レンズ６の右斜め下に配置された第二光源検知部５は、カメラ下方から被写体を照明し、かつ、交換レンズ６で遮られるために第一光源検知部３には入射しない光源の情報を検知する。
【００４２】
よって、光源検知部が１つしか配置されていない従来のカメラとは異なり、本実施の形態におけるカメラは、交換レンズ６により隠れる位置にある光源情報も正確に取得する事ができ、正確に取得した光源情報をオートフォーカスの補正に用いる事ができる。
【００４３】
なお、光源情報重み付け判定部９が判別した光源種に応じた補正データと、光源情報重み付け判定部９が重み付けを行った第一光源検知部３および第二光源検知部５が出力する光源に応じた信号とを、撮影した画像のオートホワイトバランス（ＡＷＢ）補正に用いることも可能である。
【００４４】
また、本実施の形態では、光源情報重み付け判定部９は、第一光源検知部３と第二光源検知部５との可視光センサ３４の出力および赤外光センサ３２の出力に応じて重み付けを行ったがこれに限らず、単純に第一光源検知部３と第二光源検知部５との可視光センサ３４の出力および赤外光センサ３２の出力を足し合わせてもよい。
【００４５】
また、本実施の形態では、カメラに光源検知部を２つ設けた例について説明したがこれに限らず、光源検知部を３つ以上備えた構成としてもよい。
【００４６】
（第２の実施の形態）
次に本発明の第２の実施の形態について説明する。図１１は、本実施の形態におけるカメラの外観前面を示した外観図である。図示する例では、カメラは、カメラボディー４の前面に交換レンズ６を備えている。また、カメラは、カメラボディー４の上部左端にシャッターボタン１と電源のＯＮ，ＯＦＦを制御する電源スイッチボタン２とを備える。また、カメラは、撮影時の光源種を判別する第一光源検知部３を交換レンズ６の左斜め上に配置している。
【００４７】
図１２は、本実施の形態におけるカメラの外観後部を示した外観図である。図示する例では、カメラは、カメラボディー４の後部にカメラファインダー１２と、撮影メニューや撮影画像を表示する液晶１４と、メニュー操作ボタン１５とを備えている。また、カメラは、撮影時の光源種を判別する第二光源検知部５を液晶１４の左下部に配置している。これにより、本実施の形態におけるカメラは、カメラ後部から照明される光源情報を取得することができる。
【００４８】
図１３は、本実施の形態におけるカメラが備える第一光源検知部３と第二光源検知部５との視野範囲について示したイメージ図である。図示するように、第一光源検知部３と第二光源検知部５との視野範囲は異なる。具体的には、第一光源検知部３は、カメラ上方から照明される光源の情報を検知し、第二光源検知部５は、カメラ後方から被写体を照明し、かつ、カメラボディー４に遮られるために第一光源検知部３には入射しない光源の情報を検知する。これにより、本実施の形態におけるカメラは光源情報をより正確に取得することができる。
【００４９】
なお、第２の実施の形態におけるカメラは、第二光源検知部５の配置以外は第１の実施の形態におけるカメラと同様の構成である。
【００５０】
上述したとおり、本発明の構成によれば、交換レンズ６の左斜め上に配置した第一光源検知部３は、カメラ上方から照射される光源の情報を検知し、カメラ後部の液晶１４の左下部に配置した第二光源検知部５は、カメラ後方から被写体を照明し、かつ、カメラボディー４に遮られるために第1光源検知部３には入射しない光源の情報を検知することができる。よって、光源検知部が１つしか配置されていない従来のカメラとは異なり、本実施の形態におけるカメラは、被写体を照明する光源情報をより正確に撮影画像に反映することが可能になる。
【００５１】
なお、本実施の形態では、カメラに光源検知部を２つ設けた例について説明したがこれに限らず、光源検知部を３つ以上備えた構成としてもよい。
【００５２】
以上、この発明の実施の形態について図面を参照して詳述してきたが、具体的な構成はこの実施の形態に限られるものではなく、この発明の要旨を逸脱しない範囲の設計等も含まれる。本発明の実施の形態の各構成は、当然、各種の変形、変更が可能であり、発明を実施するための形態の記述に限定されるものではない。また、説明の図の共通する箇所には同一の符号を用いている。
【符号の説明】
【００５３】
１・・・シャッターボタン、２・・・電源スイッチボタン、３・・・第一光源検知部、４・・・カメラボディー、５・・・第二光源検知部、６・・・交換レンズ、３２・・・赤外光センサ、３３・・・クリアモールドパッケージ、３４・・・可視光センサ、３５・・・赤外光カットフィルタ、３６・・・可視光カットフィルタ、３８−１，３８−２・・・受光素子、３９−１，３９−２・・・ダイオード、４０−１，４０−２・・・演算増幅器、４１−１，４１−２・・・出力端子、４２・・・基準電圧源
【図１】
2010276778.tif 000003
【図２】
2010276778.tif 000004
【図３】
2010276778.tif 000005
【図４】
2010276778.tif 000006
【図５】
2010276778.tif 000007
【図６】
2010276778.tif 000008
【図７】
2010276778.tif 000009
【図８】
2010276778.tif 000010
【図９】
2010276778.tif 000011
【図１０】
2010276778.tif 000012
【図１１】
2010276778.tif 000013
【図１２】
2010276778.tif 000014
【図１３】
2010276778.tif 000015
【図１４】
2010276778.tif 000016
【図１５】
2010276778.tif 000017